【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
方法であって、
走査周期内のデータ伝送サブフレームの１つまたは複数のシンボルを少なくとも１つの走査時間ブロックとして構成することであって、前記データ伝送サブフレームは、１４個のシンボルを有する、ことと、
伝送のために走査信号チャネルを前記走査時間ブロック内に担持することと
を含み、
前記走査信号チャネルは、全てのビームをポーリングすることによって伝送されるべき少なくとも１つの信号およびチャネルを含む、方法。
【請求項２】
前記走査周期内の前記データ伝送サブフレームの開始シンボルおよび終了シンボル以外のシンボルを、連続的に配置されている複数の走査時間ブロックとして構成することを含む、請求項１に記載の方法。
【請求項３】
前記走査周期内の前記データ伝送サブフレームの１つまたは複数のシンボルを複数の走査時間ブロックとして構成することを含み、前記複数の走査時間ブロックは、分散配置されている、請求項１に記載の方法。
【請求項４】
前記走査周期内の１つまたは複数のシンボルを複数の走査時間ブロックとして構成することを含み、前記複数の走査時間ブロックは、複数の走査時間間隔で構成され、各走査時間間隔は、１つまたは複数の連続するデータ伝送フレームのために構成される走査時間ブロックを有し、前記複数の走査時間間隔のうちの隣接する２つは、少なくとも１つのデータ伝送サブフレームによって離間している、請求項１に記載の方法。
【請求項５】
前記走査周期内の１つまたは複数の連続するデータ伝送サブフレームの１つまたは複数のシンボルを複数の走査時間ブロックとして構成することを含む、請求項１に記載の方法。
【請求項６】
前記走査時間ブロックは、下り走査時間ブロックを含み、前記走査信号チャネルは、下り走査信号チャネルを含み、
前記下り走査時間ブロックは、セルサーチのために使用される前記下り走査信号チャネルを担持し、
前記下り走査信号チャネルは、下り同期信号、システムインフォメーション、および、下りポート参照信号を含む、請求項１に記載の方法。
【請求項７】
前記走査時間ブロック内の前記走査信号チャネルは、前記走査時間ブロックの時間領域位置情報を示すためにさらに使用され、前記時間領域位置情報は、前記走査時間ブロックが位置するフレーム、前記走査時間ブロックが位置するサブフレーム、および、前記サブフレームにおける前記走査時間ブロックの位置を含む、請求項１に記載の方法。
【請求項８】
電子機器であって、
前記電子機器は、アンテナと、プロセッサと、前記プロセッサによって実行可能な命令を記憶するメモリとを備え、
前記命令は、前記プロセッサによって実行されると、情報伝送方法を前記プロセッサに実行させ、
前記情報伝送方法は、
走査周期内のデータ伝送サブフレームの１つまたは複数のシンボルを少なくとも１つの走査時間ブロックとして構成することであって、前記データ伝送サブフレームは、１４個のシンボルを有する、ことと、
伝送のために走査信号チャネルを前記走査時間ブロック内に担持することと
を含み、
前記走査信号チャネルは、全てのビームをポーリングすることによって伝送されるべき少なくとも１つの信号およびチャネルを含む、電子機器。
【請求項９】
前記プロセッサは、前記走査周期内の前記データ伝送サブフレームの開始シンボルおよび終了シンボル以外のシンボルを、連続的に配置されている複数の走査時間ブロックとして構成するように構成される、請求項８に記載の電子機器。
【請求項１０】
前記プロセッサは、前記走査周期内の前記データ伝送サブフレームの１つまたは複数のシンボルを複数の走査時間ブロックとして構成するように構成され、前記複数の走査時間ブロックは、分散配置されている、請求項８に記載の電子機器。
【請求項１１】
前記プロセッサは、前記走査周期内の１つまたは複数のシンボルを複数の走査時間ブロックとして構成するように構成され、前記複数の走査時間ブロックは、複数の走査時間間隔で構成され、各走査時間間隔は、１つまたは複数の連続するデータ伝送フレームのために構成される走査時間ブロックを有し、前記複数の走査時間間隔のうちの隣接する２つは、少なくとも１つのデータ伝送サブフレームによって離間している、請求項８に記載の電子機器。
【請求項１２】
前記プロセッサは、前記走査周期内の１つまたは複数の連続するデータ伝送サブフレームの１つまたは複数のシンボルを複数の走査時間ブロックとして構成するように構成される、請求項８に記載の電子機器。
【請求項１３】
前記走査時間ブロックは、下り走査時間ブロックを含み、前記走査信号チャネルは、下り走査信号チャネルを含み、
前記下り走査時間ブロックは、セルサーチのために使用される前記下り走査信号チャネルを担持し、
前記下り走査信号チャネルは、下り同期信号、システムインフォメーション、および、下りポート参照信号を含む、請求項８に記載の電子機器。
【請求項１４】
前記走査時間ブロック内の前記走査信号チャネルは、前記走査時間ブロックの時間領域位置情報を示すためにさらに使用され、前記時間領域位置情報は、前記走査時間ブロックが位置するフレーム、前記走査時間ブロックが位置するサブフレーム、および、前記サブフレームにおける前記走査時間ブロックの位置を含む、請求項８に記載の電子機器。
【請求項１５】
命令を記憶する非一時的コンピュータ可読記憶媒体であって、
前記命令は、アンテナを有する電子機器によって実行されると、前記電子機器に、
走査周期内のデータ伝送サブフレームの１つまたは複数のシンボルを少なくとも１つの走査時間ブロックとして構成することであって、前記データ伝送サブフレームは、１４個のシンボルを有する、ことと、
伝送のために走査信号チャネルを前記走査時間ブロック内に担持することと
を行わせ、
前記走査信号チャネルは、全てのビームをポーリングすることによって伝送されるべき少なくとも１つの信号およびチャネルを含む、非一時的コンピュータ可読記憶媒体。
【手続補正２】
【補正対象書類名】明細書
【補正対象項目名】０００１
【補正方法】変更
【補正の内容】
【０００１】
（関連出願に対する相互参照）
これは、２０１６年８月１２日に出願された中国特許出願番号２０１６１０６６９８０６．９に対する優先権を主張する２０１７年５月３日に出願された国際特許出願番号ＰＣＴ／ＣＮ２０１７／０８２８９９の日本国内移行出願であり、これら両方の内容全体が、参照により、本明細書に援用される。
本願は、移動通信分野に関し、それに限定されず、特に、走査時間ブロックに基づく情報伝送方法および装置に関する。
【手続補正３】
【補正対象書類名】明細書
【補正対象項目名】００１３
【補正方法】変更
【補正の内容】
【００１３】
本発明の実施例は、走査時間ブロックに基づく情報伝送方法および装置を提出し、新たなビーム／ポート走査リソース構造を定義し、走査時間ブロックを分散配置してデータ伝送サブフレームに挿入し、すなわち、走査周期内のデータ伝送サブフレームのシンボルの一部または全部を走査時間ブロックとして配置する。また、データ伝送サブフレームにおける下り制御領域は、走査時間ブロック内の走査信号チャネル以外のリソースをスケジューリングし、同一ポートまたは同一ビームのデータを送信することができる。
本発明は、例えば、以下を提供する。
（項目１）
走査周期内のデータ伝送サブフレームのシンボルの一部または全部を走査時間ブロックとして配置することと、
走査信号チャネルを前記走査時間ブロック内に担持させて伝送することと、を含む、走査時間ブロックに基づく情報伝送方法であって、
前記走査信号チャネルとは、全てのポートまたはビームにおいてポーリング送信する必要がある信号、または信号およびチャネルである、走査時間ブロックに基づく情報伝送方法。
（項目２）
前記走査周期内のデータ伝送サブフレームのシンボルの一部または全部を走査時間ブロックとして配置することは、走査周期内の１つまたは複数のデータ伝送サブフレームのシンボルの一部または全部を１つまたは複数の走査時間ブロックとして配置することを含む、項目１に記載の方法。
（項目３）
前記走査周期内のデータ伝送サブフレームのシンボルの一部または全部を走査時間ブロックとして配置することとは、走査周期内の１つまたは複数のデータ伝送サブフレーム内の予約領域以外のシンボルを１つまたは複数の走査時間ブロックとして配置することを含む、項目１に記載の方法。
（項目４）
走査周期内の１つまたは複数のデータ伝送サブフレーム内の予約領域以外のシンボルを１つまたは複数の走査時間ブロックとして配置すると、前記走査時間ブロックが配置されたデータ伝送サブフレームの構造は、
下り制御領域および下り走査時間ブロックの組み合わせと、
下り制御領域、ガードインターバル、及び上り走査時間ブロックの組み合わせと、
下り制御領域、下り走査時間ブロック、ガードインターバル、及び上り制御領域の組み合わせと、
下り制御領域、ガードインターバル、上り走査時間ブロック、及び上り制御領域の組み合わせと、
下り制御領域、下り走査時間ブロック、ガードインターバル、上り走査時間ブロック、及び上り制御領域の組み合わせと、のいずれか１種であり、
前記下り制御領域、下り走査時間ブロック、ガードインターバル、上り走査時間ブロック、上り制御領域は、それぞれ１つまたは複数のシンボルを含む、項目３に記載の方法。
（項目５）
前記走査周期内の１つまたは複数のデータ伝送サブフレーム内の予約領域以外のシンボルを１つまたは複数の走査時間ブロックとして配置することは、走査周期内の１つまたは複数の連続するデータ伝送サブフレーム内の予約領域以外のシンボルの全部を走査時間ブロックとして配置することを含み、
走査周期内の１つまたは複数の連続するデータ伝送サブフレーム内の予約領域以外のシンボルの全部を走査時間ブロックとして配置すると、前記走査時間ブロックが配置された１つまたは複数の連続するデータ伝送サブフレームは、１つの走査時間間隔を構成する、項目３に記載の方法。
（項目６）
前記予約領域は、下り制御領域、上り制御領域のうちの１種または複数種を含む、項目３から５のいずれか１項に記載の方法。
（項目７）
前記走査周期内のデータ伝送サブフレームのシンボルの一部または全部を走査時間ブロックとして配置することとは、走査周期内の１つまたは複数の連続するデータ伝送サブフレームのシンボルの全部を走査時間ブロックとして配置することを含み、
走査周期内の１つまたは複数の連続するデータ伝送サブフレームのシンボルの全部を走査時間ブロックとして配置すると、前記走査時間ブロックが配置された１つまたは複数の連続するデータ伝送サブフレームは、１つの走査時間間隔を構成する、項目１に記載の方法。
（項目８）
前記走査周期内のデータ伝送サブフレームのシンボルの一部または全部を走査時間ブロックとして配置することとは、走査周期内のデータ伝送サブフレームのシンボルの一部または全部を１つの走査時間ブロックのみとして配置することを含み、
走査周期内のデータ伝送サブフレームのシンボルの一部または全部を１つの走査時間ブロックのみとして配置すると、前記データ伝送サブフレームのポートまたはビームは、前記走査時間ブロックのポートまたはビームのサブセットまたはフルセットである、項目１に記載の方法。
（項目９）
前記走査周期とは、前記走査信号チャネルが全てのポートまたはビームにおいて１回ポーリング送信する時間間隔である、前記走査周期内に複数のサブフレームが含まれる、項目１に記載の方法。
（項目１０）
前記走査周期は、５ｍｓ、１０ｍｓ、２０ｍｓ、４０ｍｓ、８０ｍｓのいずれか１種に予め定義される、項目９に記載の方法。
（項目１１）
前記走査時間ブロックは、下り走査時間ブロック、上り走査時間ブロックのうちの１種または複数種を含み、前記走査信号チャネルは、上り走査信号チャネル、下り走査信号チャネルのうちの１種または複数種を含む、項目１に記載の方法。
（項目１２）
前記下り走査時間ブロックは、セルサーチ、下りポートまたはビームの測定および識別の少なくとも１つに用いられる下り走査信号チャネルを担持し、前記下り走査信号チャネルは、前記ポートまたはビームに対応する下り同期信号、システムインフォメーション、下りポート測定参照信号という信号またはチャネルのうちの１種または複数種を含む、項目１１に記載の方法。
（項目１３）
前記上り走査時間ブロックは、上りアクセス、上りポートまたはビームの測定および識別の少なくとも１つに用いられる上り走査信号チャネルを担持し、前記上り走査信号チャネルは、前記ポートまたはビームに対応する上りランダムアクセス要求信号、上りポート測定参照信号という信号またはチャネルのうちの１種または複数種を含む、項目１１に記載の方法。
（項目１４）
前記走査周期内に１つまたは複数の走査時間ブロックが含まれ、それぞれの走査時間ブロックは、１つまたは複数のポートの走査信号チャネルを送信し、１つまたは複数のシンボルを占め、前記走査周期内に全てのポートまたはビームの走査信号チャネルの送信を完成する、項目１に記載の方法。
（項目１５）
前記走査時間ブロックにおける走査信号チャネルは、更に、前記走査時間ブロックの時間領域位置情報を指示するために用いられ、前記時間領域位置情報は、走査時間ブロックが位置するフレーム、走査時間ブロックが位置するサブフレーム、走査時間ブロックの前記サブフレームにおける位置の１種または複数種を含む、項目１に記載の方法。
（項目１６）
前記データ伝送サブフレームは、特定のポートまたはビームにおける１つまたは複数の端末のデータを送信または受信するために用いられる、項目１に記載の方法。
（項目１７）
前記データ伝送サブフレームの構造は、
下り制御領域および下りデータ領域の組み合わせと、
下り制御領域、ガードインターバル、及び上りデータ領域の組み合わせと、
下り制御領域、下りデータ領域、ガードインターバル、及び上り制御領域の組み合わせと、
下り制御領域、ガードインターバル、上りデータ領域、及び上り制御領域の組み合わせと、
下り制御領域、下りデータ領域、ガードインターバル、上りデータ領域、及び上り制御領域の組み合わせと、のいずれか１種を含み、
前記下り制御領域、下りデータ領域、ガードインターバル、上りデータ領域、上り制御領域は、それぞれ１つまたは複数のシンボルを含む、項目１に記載の方法。
（項目１８）
下りデータまたは上りデータを前記走査時間ブロック内に担持させて伝送することを更に含み、前記下りデータまたは上りデータは、前記走査時間ブロックの前のサブフレームまたはシンボル内の下り制御領域において割り当てられるまたはスケジューリングされる、項目１に記載の方法。
（項目１９）
前記下り制御領域が用いるポートまたはビームは、前記下りデータの所属する走査時間ブロックのポートまたはビームのサブセットまたはフルセットである、項目１８に記載の方法。
（項目２０）
前記下りデータまたは上りデータが用いるポートまたはビームは、前記走査時間ブロックのポートまたはビームのサブセットまたはフルセットであり、走査時間ブロック内の前記走査信号チャネルに占められていないリソースを使用する、項目１８に記載の方法。
（項目２１）
前記下りデータまたは上りデータは、前記走査時間ブロック内の走査信号チャネルと周波数多重される、項目１８に記載の方法。
（項目２２）
下り制御には、走査時間ブロック内のデータ伝送リソースに対する上りスケジューリング情報または下り割当情報が含まれる、項目１８に記載の方法。
（項目２３）
前記走査時間ブロック内のデータ伝送リソースは、前記データ伝送サブフレーム内のデータ伝送リソースと関連して割り当て・指示され、または、独立して割り当て・指示される、項目２２に記載の方法。
（項目２４）
前記下り制御は、前記走査時間ブロック内のデータ伝送リソースの時間領域位置情報、前記走査時間ブロック内のデータ伝送リソースの周波数領域位置情報のうちの１種または複数種を更に含む、項目２２に記載の方法。
（項目２５）
前記走査時間ブロック内のデータ伝送リソースの時間領域位置情報は、
前記走査時間ブロックと前記下り制御が位置するデータ伝送サブフレームと間の絶対時間オフセットと、
前記走査時間ブロックが位置するサブフレームと前記下り制御が位置するデータ伝送サブフレームとの間の絶対時間オフセット、および前記走査時間ブロックの前記サブフレーム内の位置と、
前記走査時間ブロックが位置するサブフレームのインデックス、および前記走査時間ブロックの前記サブフレーム内の位置と、
のいずれか１種によって説明され、
前記絶対時間オフセットは、オフセットしたシンボル数、またはオフセットした絶対時間である、項目２４に記載の方法。
（項目２６）
前記走査時間ブロックの前記サブフレーム内の位置とは、前記走査時間ブロックが前記サブフレームを占めるシンボル情報、または、前記走査時間ブロックと前記走査時間ブロックが位置するサブフレームの境界との間のオフセット（ｏｆｆｓｅｔ）情報である、項目１５または２５に記載の方法。
（項目２７）
前記走査時間ブロックが等間隔でデータ伝送サブフレームにマッピングされる、項目１に記載の方法。
（項目２８）
前記走査時間ブロックが等間隔でデータ伝送サブフレームにマッピングされることは、
前記走査周期Ｔ内の全ての走査時間ブロックをＮグループに分け、各グループの走査時間ブロックが固定の時間間隔でデータ伝送サブフレームにマッピングされ、各グループ内の隣接する前記走査時間ブロックが等間隔でマッピングされること、または、
前記走査周期内の全ての隣接する前記走査時間ブロックが等間隔でマッピングされること、または、
全ての隣接する前記走査時間ブロックが等間隔でマッピングされること、
を含む、項目２７に記載の方法。
（項目２９）
前記各グループの走査時間ブロックが固定の時間間隔でデータ伝送サブフレームにマッピングされることは、隣接する２グループの走査時間ブロック内の１番目の走査時間ブロックの開始境界間のオフセットが固定であることを含む、項目２８に記載の方法。
（項目３０）
前記隣接する２グループの走査時間ブロック内の１番目の走査時間ブロックの開始境界間のオフセットは、前記走査周期ＴとＮの比に等しい、項目２９に記載の方法。
（項目３１）
走査周期内のデータ伝送サブフレームのシンボルの一部または全部を走査時間ブロックとして配置するように構成される配置モジュールと、
走査信号チャネルを前記走査時間ブロック内に担持させて伝送するように構成される伝送モジュールと、を備える走査時間ブロックに基づく情報伝送装置であって、
前記走査信号チャネルとは、全てのポートまたはビームにおいてポーリング送信する必要がある信号または信号およびチャネルである、走査時間ブロックに基づく情報伝送装置。
（項目３２）
前記配置モジュールは、走査周期内の１つまたは複数のデータ伝送サブフレームのシンボルの一部または全部を１つまたは複数の走査時間ブロックとして配置するように構成される、項目３１に記載の装置。
（項目３３）
前記配置モジュールは、走査周期内の１つまたは複数のデータ伝送サブフレーム内の予約領域以外のシンボルを１つまたは複数の走査時間ブロックとして配置するように構成される、項目３１に記載の装置。
（項目３４）
前記配置モジュールによって、走査周期内の１つまたは複数のデータ伝送サブフレーム内の予約領域以外のシンボルを１つまたは複数の走査時間ブロックとして配置すると、前記走査時間ブロックが配置されたデータ伝送サブフレームの構造は、
下り制御領域および下り走査時間ブロックの組み合わせと、
下り制御領域、ガードインターバル、及び上り走査時間ブロックの組み合わせと、
下り制御領域、下り走査時間ブロック、ガードインターバル、及び上り制御領域の組み合わせと、
下り制御領域、ガードインターバル、上り走査時間ブロック、及び上り制御領域の組み合わせと、
下り制御領域、下り走査時間ブロック、ガードインターバル、上り走査時間ブロック、及び上り制御領域の組み合わせと、のいずれか１種であり、
前記下り制御領域、下り走査時間ブロック、ガードインターバル、上り走査時間ブロック、上り制御領域は、それぞれ１つまたは複数のシンボルを含む、項目３３に記載の装置。
（項目３５）
前記配置モジュールは、走査周期内の１つまたは複数の連続するデータ伝送サブフレーム内の予約領域以外のシンボルの全部を走査時間ブロックとして配置するように構成され、
前記配置モジュールによって、走査周期内の１つまたは複数の連続するデータ伝送サブフレーム内の予約領域以外のシンボルの全部を走査時間ブロックとして配置すると、前記走査時間ブロックが配置された１つまたは複数の連続するデータ伝送サブフレームは、１つの走査時間間隔を構成する、項目３３に記載の装置。
（項目３６）
前記予約領域は、下り制御領域、上り制御領域のうちの１種または複数種を含む、項目３３〜３５のいずれか１項に記載の装置。
（項目３７）
前記配置モジュールは、走査周期内の１つまたは複数の連続するデータ伝送サブフレームのシンボルの全部を走査時間ブロックとして配置するように構成され、
前記配置モジュールによって、走査周期内の１つまたは複数の連続するデータ伝送サブフレームのシンボルの全部を走査時間ブロックとして配置すると、前記走査時間ブロックが配置された１つまたは複数の連続するデータ伝送サブフレームは、１つの走査時間間隔を構成する、項目３１に記載の装置。
（項目３８）
前記配置モジュールは、走査周期内のデータ伝送サブフレームのシンボルの一部または全部を１つの走査時間ブロックのみとして配置するように構成され、
前記配置モジュールによって、走査周期内のデータ伝送サブフレームのシンボルの一部または全部を１つの走査時間ブロックのみとして配置すると、前記データ伝送サブフレームのポートまたはビームは、前記走査時間ブロックのポートまたはビームのサブセットまたはフルセットである、項目３１に記載の装置。
（項目３９）
前記走査時間ブロックは、下り走査時間ブロック、上り走査時間ブロックのうちの１種または複数種を含み、前記走査信号チャネルは、上り走査信号チャネル、下り走査信号チャネルのうちの１種または複数種を含み、
前記下り走査時間ブロックは、セルサーチ、下りポートまたはビームの測定および識別の少なくとも１つに用いられる下り走査信号チャネルを担持し、前記下り走査信号チャネルは、前記ポートまたはビームに対応する下り同期信号、システムインフォメーション、下りポート測定参照信号という信号またはチャネルのうちの１種または複数種を含み、
前記上り走査時間ブロックは、上りアクセス、上りポートまたはビームの測定および識別の少なくとも１つに用いられる上り走査信号チャネルを担持し、前記上り走査信号チャネルは、前記ポートまたはビームに対応する上りランダムアクセス要求信号、上りポート測定参照信号という信号またはチャネルのうちの１種または複数種を含む、項目３１に記載の装置。
（項目４０）
前記走査時間ブロックにおける走査信号チャネルは、更に、前記走査時間ブロックの時間領域位置情報を指示するために用いられ、前記時間領域位置情報は、走査時間ブロックが位置するフレーム、走査時間ブロックが位置するサブフレーム、走査時間ブロックの前記サブフレームにおける位置の１種または複数種を含む、項目３１に記載の装置。
（項目４１）
前記伝送モジュールは、更に、下りデータまたは上りデータを前記走査時間ブロック内に担持させて伝送するように構成され、前記下りデータまたは上りデータは、前記走査時間ブロックの前のサブフレームまたはシンボル内の下り制御領域において割り当てられるまたはスケジューリングされる、項目３１に記載の装置。
（項目４２）
前記走査時間ブロックが等間隔でデータ伝送サブフレームにマッピングされる、項目３１に記載の装置。
（項目４３）
項目３１から４２のいずれか１項に記載の走査時間ブロックに基づく情報伝送装置を備える、電子機器。
（項目４４）
プロセッサおよび前記プロセッサで実行可能な命令が記憶されたメモリを含み、前記命令がプロセッサによって実行されると、項目１から３０のいずれか１項に記載の走査時間ブロックに基づく情報伝送方法のステップを実行する、電子機器。
（項目４５）
コンピュータ実行可能命令が記憶され、前記コンピュータ実行可能命令がプロセッサによって実行されると、項目１から３０のいずれか１項に記載の走査時間ブロックに基づく情報伝送方法を実現する、機械可読媒体。